(57)【要約】【課題】データ再生中に早送りまたは早戻しを行う場合において、エラーの発生を未然に防止してピックアップを所望の早送り先または早戻し先の位置へ迅速かつ確実に移動し、再生を持続することができる光ディスク再生装置を提供する。【解決手段】光ディスク１に記憶されたデータの再生中において、早送りボタンＦＦまたは早戻しボタンＦＲが押されると、ピックアップ２を停止し、ボタンＦＦ、ＦＲが押されている間の時間を計測する。そして、ボタンＦＦ、ＦＲが解除されると、計測した時間に基づいて早送り先の位置または早戻し先の位置を演算し、演算した位置へピックアップ２を再生時よりも速い速度で移動させた後、光ディスク１のデータをピックアップ２により読み取って再生する。【選択図】　　図１
2004071022.tif 000002
【特許請求の範囲】
【請求項１】
光ディスクに記録されているデータを、ピックアップを移動させながら読み取って再生し、早送りボタンまたは早戻しボタンが押されたときに、前記ピックアップを早送り先の位置または早戻し先の位置に再生時よりも速い速度で移動させる光ディスク再生装置であって、
前記データの再生中において、早送りボタンまたは早戻しボタンが押されたときに、前記ピックアップを停止する停止手段と、
前記ボタンが押されている間、早送りまたは早戻しを行っていることをユーザに認識させるためのシーク音を出力するシーク音データを再生する再生手段と、
前記ボタンが押されている間の時間を計測する計測手段と、
前記ボタンが解除されたときに、前記計測手段が計測した前記時間に基づいて早送り先の位置または早戻し先の位置を演算する演算手段と、
前記演算手段が演算した前記位置へ前記ピックアップを再生時よりも速い速度で移動させる移動手段と、
移動させた前記ピックアップにより前記データを読み取って再生を開始する再生開始手段と、を備えたことを特徴とする光ディスク再生装置。
【請求項２】
光ディスクに記録されているデータを、ピックアップを移動させながら読み取って再生し、早送りボタンまたは早戻しボタンが押されたときに、前記ピックアップを早送り先の位置または早戻し先の位置に再生時よりも速い速度で移動させる光ディスク再生装置であって、
前記データの再生中において、早送りボタンまたは早戻しボタンが押されたときに、前記ピックアップを停止する停止手段と、
前記ボタンが押されている間、早送りまたは早戻しを行っていることをユーザに認識させるためのシーク画像を出力するシーク画像データを再生する再生手段と、
前記ボタンが押されている間の時間を計測する計測手段と、
前記ボタンが解除されたときに、前記計測手段が計測した前記時間に基づいて早送り先の位置または早戻し先の位置を演算する演算手段と、
前記演算手段が演算した前記位置へ前記ピックアップを再生時よりも速い速度で移動させる移動手段と、
移動させた前記ピックアップにより前記データを読み取って再生を開始する再生開始手段と、を備えたことを特徴とする光ディスク再生装置。
【請求項３】
光ディスクに記録されているデータを、ピックアップを移動させながら読み取って再生し、早送りボタンまたは早戻しボタンが押されたときに、前記ピックアップを早送り先の位置または早戻し先の位置に再生時よりも速い速度で移動させる光ディスク再生装置であって、
前記データの再生中において、早送りボタンまたは早戻しボタンが押されたときに、前記ピックアップを停止して、前記ボタンが押されている間の時間を計測し、前記ボタンが解除されたときに、計測した前記時間に基づいて早送り先の位置または早戻し先の位置を演算して、演算した前記位置へ前記ピックアップを再生時よりも速い速度で移動させた後、前記データを前記ピックアップにより読み取って再生することを特徴とする光ディスク再生装置。
【請求項４】
請求項３に記載の光ディスク再生装置において、
前記データの再生中において、早送りボタンまたは早戻しボタンが押されたときに、早送りまたは早戻しを行っていることをユーザに認識させるための擬似データを再生し、前記ボタンが解除されたときに、前記擬似データの再生を停止することを特徴とする光ディスク再生装置。
【発明の詳細な説明】
【０００１】
【発明の属する技術分野】
本発明は、ＣＤ、ＤＶＤ等の光ディスクに記憶されているデータを再生する光ディスク再生装置に関し、特にデータの再生中に早送りまたは早戻しを行うときのピックアップの移動制御に関するものである。
【０００２】
【従来の技術】
光ディスク再生装置は、ピックアップから投射された光ビームを光ディスク上に照射し、その反射光から光ディスクに記録されている音や画像等のデータを読み取って再生する装置であり、ＣＤプレーヤやＤＶＤプレーヤのようなＡＶ機器等に広く利用されている。このような光ディスク再生装置においては、ディスク上に光ビームスポットが合焦点状態で形成されるように、ピックアップのディスク面に対する垂直方向の動きを制御するフォーカス制御等の機能が備わっている。
【０００３】
また、光ディスク再生装置には、再生ボタンと、停止ボタンと、早送りボタンと、早戻しボタンとが設けられている。再生ボタンを押すと、ピックアップが所定の速度で移動しながらデータを読み取り、読み取ったデータが再生される。停止ボタンを押すと、ピックアップが移動とデータの読み取りを停止し、データの再生が停止される。早送りボタンを押すと、ピックアップが早送り方向へ再生時よりも速い速度で移動し、再生するデータの早送りが行われる。早戻しボタンを押すと、ピックアップが早戻し方向へ再生時よりも速い速度で移動し、再生するデータの早戻しが行われる。また、データの再生中に、早送りボタンまたは早戻しボタンを押すと、これらのボタンが押されている間、ピックアップが早送り方向または早戻し方向へ再生時よりも速い速度で移動しながらデータを読み取り、読み取ったデータが再生時よりも速い速度で再生される。早送り時または早戻し時のピックアップの制御に関しては、たとえば特開平８−３２１１６５号公報に記載されている。
【０００４】
【発明が解決しようとする課題】
ところで、上記光ディスク再生装置では、フォーカス制御が行われているため、光ディスク上にキズや汚れ、ほこり等があると、レーザ光がそれらのキズ等を検出してしまい、データそのものが正常に読み取れなくなる読み取りエラーが発生したり、読み取ったデータが再生不可能なデータとなるデータエラーが発生することがある。特に、データ再生中に早送りまたは早戻しを行う場合において、読み取りエラーやデータエラーが発生すると、光ディスク再生装置は誤動作してピックアップを停止してしまい、データの再生が持続されなくなる。
【０００５】
これを図６を参照して具体的に説明する。図６は、データ再生中に早送りまたは早戻しを行う場合におけるピックアップＰの動作を説明する図である。図６（ａ）において、ピックアップＰが移動しながら光ディスクＤのデータを読み取って再生中に、早送りボタンまたは早戻しボタンが押されると、ピックアップＰはボタンが押された位置Ｘ１から早送り方向または早戻し方向に向かって再生時よりも速い速度で移動しながらデータの読み取りを行う。このとき、読み取ったデータが再生時よりも速い速度で再生される。そして、図６（ｂ）に示すように、ピックアップＰが光ディスクＤ上にキズＫがある地点に到達すると、ピックアップＰはこの地点のデータを読み取るが、読み取ったデータはキズＫにより再生不可能なデータとなり、データエラーが発生する。このため、光ディスク再生装置はこのエラーによって誤動作してしまい、図６（ｃ）に示すように、ピックアップＰを早送り先または早戻し先の位置Ｘ２に移動することなくキズＫのある地点で停止してしまう。この結果、データの早送りまたは早戻しが中止され、データの再生が持続されなくなる。
【０００６】
なお、特開平１１−１４４３９９号公報には、通常のデータ再生時において、ピックアップによるデータの読み取りを先読みと本読みの２回行い、先読み時にデータの読み取りエラーを検出したときは、本読み時にデータが読み取れるまで読み取りのリトライを行い、先読み時にデータエラーを検出したときは、本読み時にこのデータを飛ばして次のデータを再生することにより、ピックアップを停止することなく再生を持続する方法が提案されている。しかし、この方法をデータ再生中に早送りまたは早戻しを行う場合に適用すると、エラーをあらかじめ検出するために本読みの前に必ず先読みを行うので、データの読み取りに時間を要し、また、先読み時に検出したエラーに対し本読み時に読み取りリトライ等を行うので、エラーの対処に時間を要して、データの早送りまたは早戻しの処理が遅くなるという問題がある。
【０００７】
本発明は、上記問題点を解決するものであって、その課題とするところは、データ再生中に早送りまたは早戻しを行う場合において、エラーの発生を未然に防止してピックアップを所望の早送り先または早戻し先の位置へ迅速かつ確実に移動し、再生を持続することができる光ディスク再生装置を提供することにある。
【０００８】
【課題を解決するための手段】
本発明にかかる光ディスク再生装置は、データの再生中において、早送りボタンまたは早戻しボタンが押されると、ピックアップを停止し、ボタンが押されている間の時間を計測する。そして、ボタンが解除されると、計測した時間に基づいて早送り先の位置または早戻し先の位置を演算し、演算した位置へピックアップを再生時よりも速い速度で移動させた後、データをピックアップにより読み取って再生する。
【０００９】
このようにすることで、ピックアップを早送り先または早戻し先の位置へ移動させるときはデータの読み取りを行わず、移動した後にデータの読み取りを行うので、データ再生中に早送りまたは早戻しを行う場合において、光ディスク上にキズや汚れ等があっても、それらの読み取りはスキップされ、データそのものが正常に読み取れなくなる読み取りエラーや、読み取ったデータが再生不可能なデータとなるデータエラーの発生を未然に防止することができる。このため、特開平１１−１４４３９９号公報のように、エラーをあらかじめ検出するためにデータの先読みを行ったり、読み取りのリトライやエラーデータを飛ばして次のデータを再生する等のエラーに対する対処を行う必要がなくなり、ピックアップを所望の早送り先または早戻し先の位置へ迅速かつ確実に移動し、再生を持続することが可能となる。
【００１０】
また、本発明においては、データの再生中において、早送りボタンまたは早戻しボタンが押されたときに、早送りまたは早戻しを行っていることをユーザに認識させるための擬似データを再生し、ボタンが解除されたときに、擬似データの再生を停止するようにしてもよい。
【００１１】
早送りボタンまたは早戻しボタンが押されている間にピックアップがデータの読み取りを停止すると、この間データが再生されず、データに基づく音や画像が出力されなくなるので、ユーザは光ディスク再生装置の動作に不安を感じてしまうおそれがあるが、上記のように擬似データを再生することで、擬似データに基づく音や画像が出力されるため、ユーザはこの音や画像から早送りまたは早戻しを行っていることを認識することができ、光ディスク再生装置の動作に不安を感じなくなる。
【００１２】
また、本発明においては、擬似データとしてシーク音を出力するシーク音データや、シーク画像を出力するシーク画像データを再生する。なお、シーク音またはシーク画像とは、光ディスクに記憶されている音データまたは画像データをピックアップにより再生時よりも速い速度で読み取って再生したときに出力される音または画像のことである。
【００１３】
このようにすると、シーク音やシーク画像が出力されるので、ユーザはこのシーク音やシーク画像からデータの再生中に早送りまたは早戻しを行っていることを明確に認識することができる。
【００１４】
【発明の実施の形態】
図１は、本発明にかかる光ディスク再生装置１００の電気的構成を示したブロック図である。図１において、１はたとえば音楽データを記憶したＣＤからなる光ディスクである。２は光ディスク１へ光ビームを照射するとともにその反射光を受光して光ディス１のデータを読み取るピックアップである。３はピックアップ２に備わる光ビーム照射用のレーザダイオードを駆動したり、ピックアップ２を光ディスク１の径方向へ移動するピックアップ駆動回路である。４は光ディスク１を回転させるディスクモータ、５はディスクモータ４を駆動するモータ駆動回路である。６はピックアップ２が読み取ったデータに基づいて再生信号を生成する信号処理部である。なお、生成された再生信号はスピーカやテレビ等から音として出力される。７はピックアップ２のフォーカス制御やトラッキング制御を行うサーボ回路である。８は各部の制御を行うマイクロプロセッサからなるコントローラであって、カウンタ８ａを内蔵している。コントローラ８は、本発明における停止手段と、計測手段と、演算手段と、移動手段と、再生開始手段とを構成する。９はＲＯＭおよびＲＡＭ等のメモリからなる記憶部である。
【００１５】
１０はフロントパネルに設けられた表示部であって、データの再生時間やデータの番号等を表示する。１１は同じくフロントパネルに設けられた操作部であって、再生ボタンＰＬと、停止ボタンＳＴと、早送りボタンＦＦと、早戻しボタンＦＲとを備えている。再生ボタンＰＬを押すと、ピックアップ２が所定の速度で移動しながら光ディスク１のデータを読み取り、読み取ったデータが再生される。停止ボタンＳＴを押すと、ピックアップ２が移動とデータの読み取りを停止する。早送りボタンＦＦを押すと、ピックアップ２が早送り方向へ再生時よりも速い速度で移動し、再生するデータの早送りが行われる。早戻しボタンＦＲを押すと、ピックアップ２が早戻し方向へ再生時よりも速い速度で移動し、再生するデータの早戻しが行われる。また、データの再生中に、早送りボタンＦＦまたは早戻しボタンＦＲを押すと、後述するように、これらのボタンＦＦ、ＦＲが押されている間の時間に基づいてピックアップ２の早送り先または早戻し先の位置が演算され、ボタンＦＦ、ＦＲが解除されたときに、ピックアップ２が演算された早送り先または早戻し先の位置へ再生時よりも速い速度で移動し、移動後データの再生が開始される。
【００１６】
図２は、データ再生中に早送りまたは早戻しを行う場合におけるピックアップ２の動作を説明する図である。図２において、Ｋは光ディスク１上にあるキズである。Ｐ１はデータ再生中に早送りボタンＦＦまたは早戻しボタンＦＲが押されたときのピックアップ２の位置を示しており、Ｐ２はピックアップ２を移動させる早送り先または早戻し先の位置を示している。図２（ａ）において、ピックアップ２が移動しながら光ディスク１のデータを読み取って再生中に、早送りボタンＦＦまたは早戻しボタンＦＲが押されると、図２（ｂ）に示すように、ピックアップ２はボタンＦＦ、ＦＲが押された位置Ｐ１で移動と読み取りを停止する。このとき、ボタンＦＦ、ＦＲが押されている間の時間がコントローラ８のカウンタ８ａにより計測される。そして、ボタンＦＦ、ＦＲが解除されると、計測した時間から早送り先または早戻し先の位置Ｐ２がコントローラ８により演算され、図２（ｃ）に示すように、ピックアップ２がキズＫのある地点を越えて演算された位置Ｐ２へ再生時よりも速い速度で移動する。この過程で、ピックアップ２は光ディスク１から離れる方向に変位した状態となっているので、ピックアップ２からの光ビームは光ディスク１上に焦点を形成せず、したがってキズＫは読み取られない。そして、Ｐ２の位置へ来るとピックアップ２は再び光ディスク１に近づく方向へ変位して、光ディスク１上に光ビームの焦点が形成される。この後、ピックアップ２は再生時の速度で移動しながら光ディスク１のデータを読み取り、読み取ったデータが再生される。
【００１７】
図３は、上記光ディスク再生装置１００におけるデータ再生中の早送りまたは早戻しを行う手順を示したフローチャートであり、コントローラ８が実行する処理を示している。再生ボタンＰＬが押されて、ピックアップ２が移動しながら光ディスク１のデータを読み取り、読み取ったデータが再生されると、最初に、コントローラ８は早送りボタンＦＦまたは早戻しボタンＦＲがＯＮか否かを判定する（ステップＳ１１）。ここで、ユーザが早送りボタンＦＦまたは早戻しボタンＦＲを押すと、コントローラ８は早送りボタンＦＦまたは早戻しボタンＦＲはＯＮであると判定し（ステップＳ１１：ＹＥＳ）、停止手段としてのコントローラ８がピックアップ２を停止する（ステップＳ１２）。このとき、ピックアップ２はデータの読み取りを行わないので、データの再生が行われず、データに基づく音がスピーカ等から出力されなくなる。そして、計測手段としてのコントローラ８が早送りボタンＦＦまたは早戻しボタンＦＲがＯＮ状態になっている間の時間をカウンタ８ａにより計測する（ステップＳ１３）。
【００１８】
そして引き続き、コントローラ８はＯＮ状態になっている早送りボタンＦＦまたは早戻しボタンＦＲがＯＦＦか否かを判定する（ステップＳ１４）。ここで、ユーザが早送りボタンＦＦまたは早戻しボタンＦＲを解除すると、コントローラ８は早送りボタンＦＦまたは早戻しボタンＦＲはＯＦＦであると判定し（ステップＳ１４：ＹＥＳ）、演算手段としてのコントローラ８がこのときカウンタ８ａに記憶されている時間に基づいて早送り先または早戻し先の位置を演算する（ステップＳ１５）。具体的には、早送りボタンＦＦまたは早戻しボタンＦＲがＯＮ状態になった時のデータ再生時間に、ボタンＦＦ、ＦＲがＯＮ状態になっている間の時間を加算した時間に相当する位置が、早送り先または早戻し先の位置となる。そして、移動手段としてのコントローラ８が演算した早送り先または早戻し先の位置へピックアップ２を再生時よりも速い速度で移動し（ステップＳ１６）、再生開始手段としてのコントローラ８が移動したピックアップ２により早送り先または早戻し先の位置から光ディスク１のデータを読み取って、読み取ったデータの再生を開始する（ステップＳ１７）。このとき、再生されるデータに基づく音がスピーカ等から出力される。この後、再び、再生中に早送りボタンＦＦまたは早戻しボタンＦＲが押されると、ステップＳ１１〜ステップＳ１７の処理を繰り返し実行する。
【００１９】
以上の手順でデータ再生中に早送りまたは早戻しを行うことにより、ピックアップ２を早送り先または早戻し先の位置へ移動させるときはデータの読み取りを行わず、移動した後にデータの読み取りを行うので、データ再生中に早送りまたは早戻しを行う場合において、光ディスク１上にキズや汚れ等があっても、それらの読み取りはスキップされ、データそのものが正常に読み取れなくなる読み取りエラーや、読み取ったデータが再生不可能なデータとなるデータエラーの発生を未然に防止することができる。このため、特開平１１−１４４３９９号公報のように、エラーをあらかじめ検出するためにデータの先読みを行ったり、読み取りのリトライやエラーデータを飛ばして次のデータを再生する等のエラーに対する対処を行う必要がなくなり、ピックアップ２を所望の早送り先または早戻し先の位置へ迅速かつ確実に移動し、再生を持続することが可能となる。
【００２０】
上記実施形態においては、早送りボタンＦＦまたは早戻しボタンＦＲが押されている間はピックアップ２が停止するので、データの再生が行われず、再生されるデータに基づく音がスピーカ等から出力されない状態となるが、この間、早送りまたは早戻しを行っていることをユーザに認識させるためのシーク音を出力するシーク音データを擬似データとして再生してもよい。なお、シーク音とは、光ディスク１に記憶されている音データをピックアップ２により再生時よりも速い速度で読み取って再生したときに出力される音のことである。このシーク音は通常のデータ再生時よりも速い速度でスピーカ等から出力される。また、シーク音データは、光ディスク１に記憶されているＴＯＣ（Ｔａｂｌｅ　ｏｆ　ｃｏｎｔｅｎｔｓ）情報をピックアップ２により読み取るときに、光ディスク１のデータ領域の適当な区間をサンプリングして読み取られ、記憶部９に記憶される。また、これに代えて、あらかじめ作成したシーク音データを記憶部９に記憶しておいてもよい。なお、本実施形態において、コントローラ８は、本発明における再生手段を構成する。
【００２１】
図４は、この記実施形態におけるデータ再生中の早送りまたは早戻しを行う手順を示したフローチャートであり、コントローラ８が実行する処理を示している。再生ボタンＰＬが押されて、ピックアップ２が移動しながら光ディスク１のデータを読み取り、読み取ったデータが再生されると、最初に、コントローラ８は早送りボタンＦＦまたは早戻しボタンＦＲがＯＮか否かを判定する（ステップＳ２１）。ここで、ユーザが早送りボタンＦＦまたは早戻しボタンＦＲを押すと、コントローラ８は早送りボタンＦＦまたは早戻しボタンＦＲはＯＮであると判定し（ステップＳ２１：ＹＥＳ）、停止手段としてのコントローラ８がピックアップ２を停止して（ステップＳ２２）、再生手段としてのコントローラ８が記憶部９に記憶されているシーク音データを読み出して再生する（ステップＳ２３ａ）。このとき、シーク音がスピーカ等から出力される。そして、計測手段としてのコントローラ８が早送りボタンＦＦまたは早戻しボタンＦＲがＯＮ状態になっている間の時間をカウンタ８ａにより計測する（ステップＳ２４）。
【００２２】
そして引き続き、コントローラ８はＯＮ状態になっている早送りボタンＦＦまたは早戻しボタンＦＲがＯＦＦか否かを判定する（ステップＳ２５）。ここで、ユーザが早送りボタンＦＦまたは早戻しボタンＦＲを解除すると、コントローラ８は早送りボタンＦＦまたは早戻しボタンＦＲはＯＦＦであると判定し（ステップＳ２５：ＹＥＳ）、再生手段としてのコントローラ８がシーク音データの再生を停止する（ステップＳ２６ａ）。このとき、シーク音がスピーカ等から出力されなくなる。シーク音データの再生を停止すると、演算手段としてのコントローラ８がこのときカウンタ８ａに記憶されている時間に基づいて早送り先または早戻し先の位置を演算する（ステップＳ２７）。具体的には、早送りボタンＦＦまたは早戻しボタンＦＲがＯＮ状態になった時のデータ再生時間に、ボタンＦＦ、ＦＲがＯＮ状態になっている間の時間を加算した時間に相当する位置が、早送り先または早戻し先の位置となる。そして、移動手段としてのコントローラ８が演算した早送り先または早戻し先の位置へピックアップ２を再生時よりも速い速度で移動し（ステップＳ２８）、再生開始手段としてのコントローラ８が移動したピックアップ２により早送り先または早戻し先の位置から光ディスク１のデータを読み取って、読み取ったデータの再生を開始する（ステップＳ２９）。このとき、再生されるデータに基づく音がスピーカ等から出力される。この後、再び、再生中に早送りボタンＦＦまたは早戻しボタンＦＲが押されると、ステップＳ２１〜ステップＳ２９の処理を繰り返し実行する。
【００２３】
図３の手順では、早送りボタンＦＦまたは早戻しボタンＦＲが押されている間にピックアップ２がデータの読み取りを停止すると、この間データが再生されず、データに基づく音が出力されなくなるので、ユーザは光ディスク再生装置１００の動作に不安を感じてしまうおそれがあるが、上記の手順でシーク音データを再生することにより、シーク音がスピーカ等から出力されるため、ユーザはこのシーク音から早送りまたは早戻しを行っていることを明確に認識することができ、光ディスク再生装置１００の動作に不安を感じなくなる。
【００２４】
以上述べた実施形態においては、光ディスク１として音楽データを記憶したＣＤからなる光ディスクを例に挙げているが、本発明はこれ以外の画像データを記憶したＤＶＤなどにも適用することが可能である。この場合、擬似データとしてシーク音データに代えてシーク画像を出力するシーク画像データを再生してもよい。なお、シーク画像とは、光ディスク１に記憶されている画像データをピックアップ２により再生時よりも速い速度で読み取って再生したときに出力される画像のことである。このシーク画像は通常のデータ再生時よりも速い速度でテレビ等から出力される。また、シーク画像データは、シーク音データと同様に、光ディスク１に記憶されているＴＯＣ（Ｔａｂｌｅ　ｏｆ　ｃｏｎｔｅｎｔｓ）情報をピックアップ２により読み取るときに、光ディスク１のデータ領域の適当な区間をサンプリングして読み取られ、記憶部９に記憶される。また、これに代えて、あらかじめ作成したシーク画像データを記憶部９に記憶しておいてもよい。
【００２５】
図５は、この実施形態におけるデータ再生中の早送りまたは早戻しを行う手順を示したフローチャートであり、コントローラ８が実行する処理を示している。図中、図４と同一ステップには同一符号を付してある。図５では、図４のステップＳ２３ａに代えて、ステップＳ２３ｂを実行してシーク画像データを再生する。このとき、シーク画像がテレビ等から出力される。また、図４のステップＳ２６ａに代えて、ステップＳ２６ｂを実行してシーク画像データの再生を停止する。
【００２６】
このようにシーク画像データを再生することにより、シーク画像がテレビ等から出力されるので、ユーザはこのシーク画像から早送りまたは早戻しを行っていることを明確に認識することができる。また、シーク画像データを加工して、シーク画像に横縞模様等を挿入すると、ユーザはこのシーク画像から早送りまたは早戻し状態であることを一層明確に認識することができる。
【００２７】
本発明では、上述した以外にも種々の実施形態を採用することができる。たとえば、図４や図５の実施形態においては、データ再生中に早送りまたは早戻しを行っていることをユーザに認識させるためにシーク音やシーク画像を出力する場合を例に挙げているが、本発明はこれ以外にも、早送り中または早戻し中であることを通知する音声や静止画像、または、単なる機械音等を出力してもよい。つまり、データ再生中に早送りまたは早戻しを行っていることをユーザに認識させることができる手段であればよい。この場合、これらを出力するための擬似データを記憶部９に記憶しておけばよい。
【００２８】
【発明の効果】
本発明によれば、ピックアップを早送り先または早戻し先の位置へ移動させるときはデータの読み取りを行わず、移動した後にデータの読み取りを行うので、データ再生中に早送りまたは早戻しを行う場合において、光ディスク上にキズ等があっても、キズ等のある地点でエラーが発生してピックアップを停止させることなく、ピックアップを所望の早送り先または早戻し先の位置へ迅速かつ確実に移動することができ、再生を持続することが可能となる。
【図面の簡単な説明】
【図１】本発明にかかる光ディスク再生装置のブロック図である。
【図２】光ディスク再生装置おけるピックアップの動作を説明する図である。
【図３】データ再生中に早送りまたは早戻しを行う手順を示したフローチャートである。
【図４】本発明の他の実施形態によるフローチャートである。
【図５】本発明の他の実施形態によるフローチャートである。
【図６】従来の光ディスク再生装置におけるピックアップの動作を説明する図である。
【符号の説明】
１　　　光ディスク
２　　　ピックアップ
８　　　コントローラ
９　　　記憶部
１００　光ディスク再生装置
ＦＦ　　早送りボタン
ＦＲ　　早戻しボタン
Ｐ２　　早送り先または早戻し先の位置
【図１】
2004071022.tif 000003
【図２】
2004071022.tif 000004
【図３】
2004071022.tif 000005
【図４】
2004071022.tif 000006
【図５】
2004071022.tif 000007
【図６】
2004071022.tif 000008